(57)【要約】【課題】ドリル径が１．０ｍｍ以下である、いわゆる小径ドリルやドリル長さがドリル径の３０倍以上である、いわゆるロングドリルの油孔の洗浄において、簡易かつ迅速に油孔に存在する液体を取り除くことができる油孔付きドリルにおける油孔の洗浄方法を提供する。【解決手段】内部に回転テーブル１を具備している洗浄装置を用いて、当該回転テーブル１上には複数のドリル固定筒２を同心円状に設置して、ドリル固定筒２内に油孔付きドリル３を装入した後、回転テーブル１を回転する。また、ドリル固定筒２の端部は回転テーブル１の中心側に向かって回転テーブル１上に傾斜して設置することもできる。【選択図】図１
2018001132.tif 000002
【特許請求の範囲】
【請求項１】
内部に回転テーブルが具備されている洗浄装置を用いて
油孔付きドリルの油孔を洗浄する方法であって、  
前記回転テーブル上には複数のドリル固定筒が同心円状に設置されており、
前記ドリル固定筒内に前記油孔付きドリルを装入した後、
前記回転テーブルを回転する
ことを特徴とする油孔付きドリルの油孔洗浄方法。
【請求項２】
前記ドリル固定筒の端部が、
前記回転テーブルの中心側に向かって前記回転テーブル上に
傾斜して設置されていることを特徴とする
請求項１に記載の油孔付きドリルの油孔洗浄方法。
【請求項３】
前記油孔付きドリルのシャンク側を前記ドリル固定筒に装入する
ことを特徴とする
請求項１または２に記載の油孔付きドリルの油孔洗浄方法。
【請求項４】
前記油孔付きドリルの直径は、１．０ｍｍ以下であることを特徴とする
請求項１ないし３のいずれか１項に記載の油孔付きドリルの油孔洗浄方法。
【請求項５】
前記油孔付きドリルの長さは、前記油孔付きドリルの直径の
少なくとも３０倍以上であることを特徴とする
請求項１ないし３のいずれか１項に記載の油孔付きドリルの油孔洗浄方法。
【発明の詳細な説明】
【技術分野】
【０００１】
本発明は、小径の油孔付きドリルの油孔内に存在する液体を除去する方法に関する。
【背景技術】
【０００２】
従来より油孔付きドリルの製造工程において、油孔内に存在する洗浄液や油などの液体やコンタミなどの残渣を完全に除去する必要がある。もし、油孔内に液体などが残存していると、次工程において油孔内に残渣が付着した状態となったり、場合によっては腐食の起点になる恐れがあるためである。このような問題に対して、自然乾燥や加熱などによって油孔内の液体を乾燥、除去する方法や油孔内に高圧の空気を送り込む、いわゆるエアーブローにより油孔内の液体を押し出す方法が行われてきた。
【０００３】
その他の油孔内の洗浄方法としては、例えば、特許文献１では超硬合金製油穴付きドリルにおいて、所定の穴あけ加工後、再研削しかつ再コーティング処理後に、油穴内部へ入り込んだコーティング金属粉、および穴あけ加工により油穴内部へ入り込んだ切り粉を含む金属粉を除去するために油穴内部を磨き処理する技術が開示されている。
【先行技術文献】
【特許文献】
【０００４】
【特許文献１】特許第４６７４７４９号公報
【発明の概要】
【発明が解決しようとする課題】
【０００５】
しかし、水やアルコールなど比較的に低温で蒸発する液体は使用できるが、油などを使用した場合には、その蒸発に時間を要する上に乾燥した後に油孔内に一部の成分が残る場合には、その成分が溶出することで製造工程に影響が出る恐れがある。
【０００６】
また、油孔内にエアーブローを送り込む方法では、例えばドリル径が１０ｍｍ未満の、いわゆる小径ドリルでは油孔径が２ｍｍ以下であるため、油孔内全体にエアーを充満させる（行き渡らせる）ことが困難であり、油孔内へエアーを送り込む技量の如何によってその除去効果に差異が生じるという問題があった。
【０００７】
そこで、本発明においてはドリル径が１．０ｍｍ以下である、いわゆる小径ドリルやドリル長さがドリル径の３０倍以上である、いわゆるロングドリルの油孔の洗浄において、簡易かつ迅速に油孔に存在する液体を取り除くことができる油孔付きドリルにおける油孔の洗浄方法を提供することを課題とする。
【課題を解決するための手段】
【０００８】
前述した課題を解決するために、本発明は内部に回転テーブルを具備する洗浄装置を用いて、回転テーブル上に複数のドリル固定筒を同心円状に設置しており、ドリル固定筒内に油孔付きドリルを装入した後、回転テーブルを回転する油孔付きドリルの油孔洗浄方法とする。
【０００９】
また、ドリル固定筒の端部を回転テーブルの中心側に向かって回転テーブル上に傾斜して設置しても構わない。さらに、洗浄時において、油孔付きドリルのシャンク側をドリル固定筒に装入した状態で洗浄できる。また、洗浄の対象とするドリルについては、油孔付きドリルの直径を１．０ｍｍ以下としたり、ドリルの長さを油孔付きドリルの直径の少なくとも３０倍以上とすることもできる。
【発明の効果】
【００１０】
本発明は、内部に回転テーブルが具備されている洗浄装置を用いて油孔付きドリルの油孔を洗浄する方法において、回転テーブル上に複数のドリル固定筒を同心円状に設置して、ドリル固定筒内に油孔付きドリルを装入した後、回転テーブルを回転することで、油孔内に存在する液体が油孔付きドリルに発生する遠心力によって迅速かつ確実に油孔から排出されるという効果を奏する。
【図面の簡単な説明】
【００１１】
【図１】本発明の洗浄方法に用いる洗浄装置内の回転テーブル１に油孔付きドリル３がドリル固定筒２内に固定された状態を示す模式斜視図である。
【発明を実施するための形態】
【００１２】
本発明の洗浄方法の実施の形態の一例について図面を用いて説明する。図１は本発明の洗浄方法に用いる洗浄装置内の回転テーブル１に油孔付きドリル３がドリル固定筒２内に固定された状態を示す模式斜視図を示す。本発明の洗浄方法に用いる洗浄装置（図示しない）の内部には、図１に示すように複数の油孔付きドリル３を固定するドリル固定筒２が上面に設置されている回転テーブル１が具備されている。
【００１３】
ドリル固定筒２は回転テーブル１の上面に対して傾斜して設置されて（ドリル固定筒２と回転テーブル１の上面とのなす角度を傾斜角θとする）、全てのドリル固定筒２の開口部は回転テーブル１の中心側を向いている。すなわち、ドリル固定筒２の内部に油孔付きドリル３を装入した場合に、油孔付きドリル３の端部が回転テーブル１の中心側を向く構造と成っている。
【００１４】
なお、図１では油孔付きドリル３のシャンク側をドリル固定筒２の内部へ装入した場合を示しているが、油孔付きドリル３のドリル固定筒２への装入方向は油孔付きドリル３の先端側（切刃側）でもシャンク側のいずれでも構わない。
【００１５】
次に、洗浄装置内の回転テーブル１を用いて、油孔付きドリル３の油孔内を洗浄する流れについて説明する。まず、図１に示す静止状態の回転テーブル１にあるドリル固定筒２の内部に油孔付きドリル３を装入する。ドリル固定筒２への装入方法は、油孔付きドリル３の先端側でもシャンク側のいずれでも構わない。
【００１６】
回転テーブル１上のドリル固定筒２内に油孔付きドリル３を装入した後、洗浄装置の扉を閉めて、回転テーブル１を所定の回転数および回転時間で回転させる。回転テーブル１が回転することで、油孔付きドリル３の油孔内に存在する液体は遠心力を受ける。遠心力を受けた液体は、回転テーブル１の外周方向へ向かって移動する。すなわち、遠心力を受けた液体は、油孔付きドリル３の先端側をドリル固定筒２内へ装入した場合は油孔付きドリル３の先端側へ移動し、油孔付きドリル３のシャンク側をドリル固定筒２内へ装入した場合は油孔付きドリル３のシャンク側へ移動する。
【符号の説明】
【００１７】
１        回転テーブル
２        ドリル固定筒
３        油孔付きドリル    
【図１】
2018001132.tif 000003